(57)【要約】【課題】定量的に二酸化塩素を発生する、簡便な二酸化塩素発生装置を提供する。【解決手段】安定化二酸化塩素発生源をカラムに充填し、そのカラムにエアーポンプで空気を定量的に送り込む。これにより、二酸化塩素を定量的に発生させる。更に発生した二酸化塩素をファンを用い、広く拡散させる二酸化塩素発生装置を提供する。【選択図】図１
2016216335.tif 000002
【特許請求の範囲】
【発明の詳細な説明】
【技術分野】
【０００１】  本発明は二酸化塩素発生源を上下に通気口を有する耐圧容器に充填し、定量的に空気を流通することにより、二酸化塩素を定量的に発生することを特徴とする二酸化塩素発生装置に関する。
【背景技術】
【０００２】  二酸化塩素は塩素原子上に不対電子を３個もつラジカルであり、反応性が高く、強い酸化力をもつことから、ウィルス除去、除菌、消臭、坑カビ等のはたらきを有することが知られている。しかし、二酸化塩素は非常に不安定であるため、長期の保存や運搬には不向きであり、高濃度では爆発の危険性があるなど問題が有り、その問題を解消するために種々の方法が提案されている。【０００３】  安定化二酸化塩素と吸水性樹脂とからなるゲル状組成物が提案されている（例えば、特許文献１参照。）が、ほとんど二酸化塩素ガスを発生しないなど問題が有る。それを解決するために、安定化二酸化塩素と吸水性樹脂とからなるゲル状組成物に紫外線を照射する方法（例えば、特許文献２参照。）が提案されているが、紫外線照射装置との組み合わせが必要である。【０００４】  溶存二酸化塩素ガス、亜塩素酸塩及び酸性に保つｐＨ調整剤を構成成分に有する純粋二酸化塩素剤並びに高吸水性樹脂を含有することを特徴とするゲル状組成物が提案されている（例えば、特許文献３参照。）が、溶存二酸化塩素の分解により長期保存するには適さない。【０００５】  亜塩素酸塩水溶液に、活性化剤と、吸水性樹脂と保水剤とを添加しゲル化させる方法（例えば、特許文献４参照。）が提案されているが、使用時に薬剤を添加する必要があり、しかも添加後の反応をコントロールできないため添加後数日は高濃度二酸化塩素ガスが発生する問題が有った。【０００６】  亜塩素酸ナトリウムと水酸化ナトリウムを無機担体に担持させ、空気と反応させる事により二酸化塩素を徐々に発生させる製剤技術（例えば、特許文献５参照。）が提案されている。しかし、担体が粉体であるため、安定化二酸化塩素担体と空気を反応させる事が困難であった。【０００７】  更に二酸化塩素は分子量約６７．５、密度３．０４ｇ／ｃｍ３と極めて重いガスである。このため、二酸化塩素を広く拡散させるためには、大きな空気の流れが必要となる。現状市販されている二酸化塩素を用いた脱臭、除菌器は有効成分である二酸化塩素を広い範囲に拡散させているとは言い難い。
【先行技術文献】
【特許文献】
【０００８】
【特許文献１】特開昭６１−１８１５３２号公報
【特許文献２】特開２０００−２０２００９号公報
【特許文献３】特開平１１−２７８８０８号公報
【特許文献４】特開２００７−１８０７号公報
【特許文献５】特開２０１１−１７３７５８号公報
【発明の概要】
【発明が解決しようとする課題】
【０００９】  本発明は提供されている安定化二酸化塩素担体（以下担体という）を上下開口部を持つ耐圧容器（以下カラムという）に充填し、空気（特に二酸化炭素と水蒸気）を定量的に流通する。これにより空気と担体は定量的反応し、二酸化塩素を定量的に発生させる事を目的としている。
【課題を解決するための手段】
【００１０】  本発明で用いる担体は、これまで提案されている様々な形状のものを用いる事が可能である。しかし、徐放性、扱いやすさを考慮すれば、好ましくは、特開２０１１−１７３７５８号公報に開示されている担体である。【００１１】  本発明で用いるカラムの素材は、紙、金属、ガラス、プラスチック等を用いる事が可能である。更にガラスコートやフッ素コートされたプラスチックを用いることも好ましい。しかし、装置の製造コスト及び耐衝撃性を勘案すると、プラスチックが最も好ましい。【００１２】  本発明の本発明のカラムへの担体充填量は、予想される二酸化塩素発生量及びカラムの使用可能日数に依存する。使用可能日数を３０日、０．４ＰＰＭ／ｈ発生を仮定した場合、３０ｇの担体を充填する事が好ましい。この時、湿度６０％の空気を１，０００ｍｌ／ｍｉｎで流通させた。【００１３】  本発明におけるカラムへの空気流通に用いる装置は、市販のエアーポンプ、ペリスタポンプを用いる事が出来る。定量的に空気を送り込むためにはエアーポンプが好ましい。【００１４】  本発明の装置にカラムを装着する場合、ワンタッチで容易にカラムを交換できることが望ましい。この際、エアーポンプからの配管と二酸化塩素発生口への接続はワンタッチコネクターで接続するように設計する必要がある。これは、カラムに充填された担体が反応を終了し、二酸化塩素が発生しなくなった場合、担体ごとカラムを交換する必要があるためである。【００１５】  本発明におけるカラムの素材であるプラスチックとして、汎用プラスチックが広く用いられる。具体的には、ポリエチレン、ポリプロピレン、ポリエチルテレフタレー、ポリカーボネート、ポリ塩化ビニル、ＡＢＳ樹脂等である。加工性、耐薬品性等を勘案するとポリエチルテレフタレート（ＰＥＴ）、ポリ塩化ビニル（ＰＶＣ）が好ましい。【００１６】  本発明における担体を充填したカラムの保存は、密封性の高い包装材と湿度コントロール用のシリカゲルを同封した包装袋を用いる必要がある。包装材としては、アルミ蒸着ポリエチレンフィルム、塩化ビニリデン、ポリクロロトリフルオロエチレン、アルミＰＥＴ複層フィルムなどが使用できる。【００１７】  本発明でカラムに空気を送り込むポンプは、一般のエアーポンプ又はペリスタポンプが使用出来る。空気を送り込む定量性、カラムでの圧力損失を考慮すると、エアーポンプの使用が好ましい。【００１８】  本発明で用いるエアーポンプの送風量及び送風圧は、必要な二酸化塩素の発生量に依存する。一般的な家庭用装置としては、送風量１００〜５，０００ｍｌ／ｍｉｎ、好ましくは５００〜２，０００ｍｌ／ｍｉｎである。また、送風圧は０．０１〜０．５ＭＰａ、好ましくは０．０５〜０．２ＭＰａである。【００１９】  本発明で発生する二酸化塩素は上述の様に空気より重い気体である。このため、空間内に広く拡散させるためには、装置内に二酸化塩素拡散用のファンの取付が必要になる。本発明で用いるファンは装置の大きさに応じて選択出来る最大かつ最高の送風力のものを取付ける事が好ましい。【００２０】  本発明に用いる担体は、空気特に空気中の二酸化炭素と水蒸気に反応する。空気中の水蒸気量及び二酸化炭素量を制御するためにエアーポ��プの空気取入れ口と二酸化炭素発生箱や水蒸気発生装置を接続する事により、より効率的に二酸化塩素を発生させることも可能である。具体的には、二酸化炭素発生箱としてドライアイスを入れた箱、水蒸気発生装置として、超音波水蒸気発生装置等を接続することが可能である。
【発明の効果】  本発明により二酸化塩素の有用性はより身近になり、手軽により衛生的な環境の構築が可能となると思われる。
以下、図を用いてより具体的に本発明を説明する。
【図面の簡単な説明】
【００２１】
【図１】二酸化塩素発生装置のフロー図
【図２】二酸化塩素発生装置の組立図（上面図）
【図３】二酸化塩素発生装置の組立図（正面図）
【実施例】
【００２２】  図１に本発明の二酸化塩素発生装置のフロー図を示した。エアーポンプ［３］駆動時、空気取入れ口［１］より入った空気は、空気フィルター［２］を通り、埃等が除去される。更に逆止弁［４］により空気の逆流を阻止する。エアーポンプにより加圧された空気は担体を充填したカラム［７］に送られ、担体と定量的に反応する、反応によって得られた二酸化塩素は、二酸化塩素噴出し口［８］より噴出される。発生した二酸化塩素は、吹き出し口下部に取付けたファン［９］により本装置上部開口部より上空に吹き上げられ、広く拡散する。【００２３】  本装置のカラムに担体を３０ｇ充填し、１，０００ｍｌ／ｍｉｎの空気（湿度６０％）を送風したところ、二酸化塩素の発生量は、０．２１ｍｇ／ｈｒであった。これを床面積３０平方メートルの室内で換算すると、０．８６ｐｐｍ／ｈｒの発生量となった。
図２、図３、図４により具体的な本装置の組立図を示した。
【符号の説明】
【００２４】［１］  空気取入れ口
［２］  空気フィルター
［３］  エアーポンプ
［４］  逆止弁
［５］  空気配管
［６］  カラム取付コネクター
［７］  担体充填カラム
［８］  二酸化塩素噴出し口
［９］  ファン
【図１】
2016216335.tif 000003
【図２】
2016216335.tif 000004
【図３】
2016216335.tif 000005
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
二酸化塩素発生源を上下に通気口を有する耐圧容器に充填し、定量的に空気を流通することにより、二酸化塩素を定量的に発生することを特徴とする二酸化塩素発生装置。
【請求項２】
二酸化塩素発生源が空気と接触することにより二酸化塩素を発生し、かつ粒子状である特許請求項１の二酸化塩素発生装置。
【請求項３】
該耐圧容器がプラスチックまたはガラスコートあるいはフッ素コートされたプラスチックにより構成されたカラム状である特許請求範囲１の二酸化塩素発生装置。
【請求項４】
定量的に空気を流通する機構がエアーポンプ又はペリスタポンプである特許請求項１の二酸化塩素発生装置。